(57)【要約】【課題】手渡した相手が不用意な操作を行っても、ユーザが望まない処理が実行されることを防止できる携帯型電子機器を提供する。【解決手段】ユーザからの要求を受け付ける入力手段と、データを記憶するデータ記憶手段と、ユーザから指定されたデータの識別情報を記憶する記憶手段と、入力手段を通じてデータの出力要求が行われた場合に、この要求されたデータの識別情報が記憶手段に記憶されるか否かに応じて、上記要求されたデータを出力するデータ出力手段とを具備するようにした。【選択図】      図１
2012019482.tif 000002
【特許請求の範囲】
【請求項１】
ユーザからの要求を受け付ける入力手段と、
データを記憶するデータ記憶手段と、
ユーザから指定されたデータの識別情報を記憶する記憶手段と、
前記入力手段を通じてデータの出力要求が行われた場合に、この要求されたデータの識別情報が前記記憶手段に記憶されるか否かに応じて、前記要求されたデータを出力するデータ出力手段とを具備することを特徴とする携帯型電子機器。
【請求項２】
ユーザからの要求を受け付ける入力手段と、
ユーザから指定された機能の識別情報を記憶する記憶手段と、
前記入力手段を通じて機能の実行要求が行われた場合に、この要求された機能の識別情報が前記記憶手段に記憶されるか否かに応じて、前記要求された機能を実行する機能実行手段とを具備することを特徴とする携帯型電子機器。
【請求項３】
ユーザからの要求を入力するための入力手段と、
情報を表示する表示手段と、
前記入力手段を通じて要求を受け付けた場合に、現在、表示している情報以外の情報を表示させる要求が、前記入力手段を通じて入力されても、この要求を無視する要求無視手段とを具備することを特徴とする携帯型電子機器。
【請求項４】
ユーザからの要求を入力するための入力手段と、
情報を表示する表示手段と、
前記入力手段を通じて要求を受け付けた場合に、前記表示手段で表示している情報を表示するための表示データを生成するデータ生成手段と、
このデータ生成手段が生成した表示データに基づく情報を前記表示手段に表示させる制御を行う表示制御手段と、
前記要求を受け付けた場合に、前記表示制御手段の制御によって表示している情報以外の情報を表示させる要求が、前記入力手段を通じて入力されても、この要求を無視する要求無視手段とを具備することを特徴とする携帯型電子機器。
【請求項５】
ユーザからの要求を入力するための入力手段と、
情報を表示する表示手段と、
前記入力手段を通じて、予め設定されたモードが設定された場合に、現在、表示している情報以外の情報を表示させる要求が、前記入力手段を通じて入力されても、この要求を無視する要求無視手段とを具備することを特徴とする携帯型電子機器。
【請求項６】
さらに、前記モードが設定された場合に、イベントの発生の報知を抑制する報知抑制手段を備えることを特徴とする請求項５に記載の携帯型電子機器。
【請求項７】
さらに、前記モードが設定された場合に、イベントの発生の報知を停止する報知抑制手段を備えることを特徴とする請求項５に記載の携帯型電子機器。
【請求項８】
さらに、前記表示手段を照明する照明手段と、
イベントが発生した場合に前記照明手段を制御して、第１の時間の間、前記表示手段を照明させるものであって、前記モードが設定された場合には、前記第１の時間よりも長い第２の時間の間、前記表示手段を照明させる照明制御手段とを備えることを特徴とする請求項５に記載の携帯型電子機器。
【請求項９】
さらに、前記表示手段を照明する照明手段と、
イベントが発生した場合に前記照明手段を制御して、第１の時間の間、前記表示手段を照明させるものであって、前記モードが設定された場合には、前記モードが解除されるまで、前記表示手段を照明させる照明制御手段とを備えることを特徴とする請求項５に記載の携帯型電子機器。
【発明の詳細な説明】
【技術分野】
【０００１】
この発明の実施形態は、例えば携帯電話機や携帯型パーソナルコンピュータなどの携帯型電子機器に関する。
【背景技術】
【０００２】
周知のように、携帯型電子機器として、携帯電話機、スマートフォン、PDA(Personal Digital Assistants)、ノート型パーソナルコンピュータ、タブレット型パーソナルコンピュータなどがある。
【０００３】
これらの携帯型電子機器にあっては、プライバシー保護のために、最後の操作から一定時間が経過するとロック状態となり、認証操作を行わないと情報を出力できないようにしているものがある。また特定の情報についてのみ、上記のような制御を行う機器もある。
【０００４】
実際の運用状況においては、内部に保存された画像データやメールを見せたり、ゲームなどのアプリケーションソフトウェアを利用するために、ユーザ（持ち主）が自ら知人などに一時的に手渡す状況がある。この場合、知人などが不用意な操作を行うと、見せたくない情報がなどが誤って表示されてしまうことがあるという問題があった。
【先行技術文献】
【特許文献】
【０００５】
【特許文献１】特開平７−１９３８６５号公報
【発明の概要】
【発明が解決しようとする課題】
【０００６】
従来の携帯型電子機器では、手渡した相手が不用意な操作により、ユーザが出力したくない情報が出力されてしまうことがあるという問題があった。  
課題は、上記の問題を解決すべくなされたもので、手渡した相手が不用意な操作を行っても、ユーザが望まない処理が実行されることを防止できる携帯型電子機器を提供することを目的とする。
【課題を解決するための手段】
【０００７】
実施形態によれば、ユーザからの要求を受け付ける入力手段と、データを記憶するデータ記憶手段と、ユーザから指定されたデータの識別情報を記憶する記憶手段と、入力手段を通じてデータの出力要求が行われた場合に、この要求されたデータの識別情報が記憶手段に記憶されるか否かに応じて、上記要求されたデータを出力するデータ出力手段とを具備して構成するようにした。
【図面の簡単な説明】
【０００８】
【図１】実施形態に係わる携帯型電子機器の構成を示す回路ブロック図。
【図２】図１に示した携帯型電子機器の動作を説明するためのフローチャート。
【図３】図２に示した限定モードを説明するためのフローチャート。
【図４】図３に示した処理によって区別されるデータを模式的に示した図。
【図５】図３に示した処理によって区別される機能を模式的に示した図。
【図６】図２に示したスナップモードを説明するためのフローチャート。
【図７】図３または図６に示した認証処理における表示例を示す図。
【発明を実施するための形態】
【０００９】
以下、図面を参照して、実施形態について説明する。  
図１は、実施形態に係わる携帯型電子機器の構成を示すブロック図である。以下の説明では、携帯型電子機器の一例として、多機能型の携帯電話機、いわゆるスマートフォンを例に挙げて説明するが、携帯型のパーソナルコンピュータやPDA(Personal Digital Assistants)などの種々のパーソナル電子機器にも適用可能である。
【００１０】
図１に示すように、上記携帯型電子機器は、主な構成要素として、制御部１００と、無線通信部１０と、表示入力部２０と、操作部２１と、モーションセンサ部２２と、通話部３０と、電源部４０と、記憶部５０と、放送受信部６０と、GPS受信部７０と、ディジタルカメラ８０と、赤外線通信部９０とを備える。
【００１１】
主な機能としては、基地局装置BSおよび移動通信網MNを介して、音声通信を行う音声通信機能と、さらにインターネットNWを介してサーバSVとデータ通信するデータ通信機能、放送局BCから送信される地上ディジタル放送信号を受信する放送受信機能と、自己の位置を測位する測位機能、他の携帯電話機MSと赤外線通信を行う赤外線通信機能などを備えるとともに、これらを利用したアプリケーションソフトウェアを実行する機能を備える。その他、Bluetooth（登録商標）や、非接触型の近距離無線通信により、クレジット決済を行う機能や、交通機関の利用や商品購入代金の支払いを行う電子マネー機能などを備える。
【００１２】
無線通信部１０は、制御部１００の指示にしたがって、移動通信網MNに収容された基地局装置BSと無線通信を行うものであって、これにより音声データや電子メールデータなどの送受信、Webデータやストリーミングデータなどの受信を行う。
【００１３】
表示入力部２０は、制御部１００の制御により、画像（静止画像および動画像）や文字情報などを表示して視覚的にユーザに情報を伝達するとともに、表示した情報に対するユーザ操作を検出する、いわゆるタッチパネルであって、表示パネル２０ａと、操作パネル２０ｂを備える。その他、充電状態を示すLED(Light Emitting Diode)ランプなどを備える。
【００１４】
表示パネル２０ａは、LCD(Liquid Crystal Display)や有機EL(Electro Luminescence)などを表示デバイスとして用いたものである。LCDを用いる場合、視認性を向上させるために、LED(Light Emitting Diode)などを用いたバックライトあるいはサイドライトなどの照明装置を備え、視認性を向上させている。操作パネル２０ｂは、表示パネル２０ａに表示される画像を視認可能な透明素材からなり、表示パネル２０ａの表示面上に載置され、ユーザの指や尖筆によって操作された座標を検出するためのデバイスである。
【００１５】
なお、制御部１００は、操作パネル２０ｂから通知された座標に基づき、この座標に対応する表示パネル２０ａ上に表示しているアイコンやソフトウェアキーを検出し、これに対する操作として認識する。操作は、ワンクリック、ダブルクリック、ドラッグ、その他、多点接触によるアクションなどを検出して、ユーザが意図する命令（選択、実行、移動、表示の拡大や縮小、画面スライド（ページ送り）など）を制御部１００が認識し、実行する。
【００１６】
また、上記照明装置の点灯は、後述する制御部１００によって制御され、操作パネル２０ｂや操作部２１が操作されたり、イベントが発生すると、予め設定した所定時間ｔ１の間だけ点灯する。
【００１７】
操作部２１は、複数のキースイッチなどハードウェアキーからなるユーザインタフェースであって、ユーザから指示を受け付けるものである。  
モーションセンサ部２２は、例えば３軸の加速度センサなどを備え、制御部１００の指示にしたがって、当該携帯型電子機器の物理的な動きを検出する。これにより、当該携帯型電子機器が動く方向や速さ、加速度などが検出される。この検出結果は、制御部１００に出力される。
【００１８】
通話部３０は、スピーカ３１やマイクロホン３２を備え、マイクロホン３２を通じて入力されたユーザの音声を制御部１００にて処理可能な音声データに変換して制御部１００に出力したり、無線通信部１０を介して通話相手などから受信した音声データを復号してスピーカ３１から出力するものである。
【００１９】
電源部４０は、着脱自在なバッテリ４１に蓄えられる電力を、制御部１００の指示にしたがって、当該携帯型電子機器の各部に供給するものである。また電源部４０は、充電回路４０ａを備える。充電回路４０ａは、外部から接続される充電器２００から供給される電力で、バッテリ４１を充電するものであって、バッテリ４１の温度を検出および監視し、バッテリ４１の充電を行う。
【００２０】
なお、充電回路４０ａは、充電器２００から供給される電力（または電流値）、各部へ供給している電力（または電流値）およびバッテリ４１の電圧値、温度を検出し、これらの情報に基づいて、バッテリ４１に電力を与えて充電を行う。
【００２１】
またバッテリ４１は、リチウムイオン電池、リチウムイオンポリマー電池、ニッケル水素電池、ニッケルカドミウム電池、SCiB(Super Charge ion Battery)など、種々の二次電池が適用可能である。
【００２２】
記憶部５０は、制御部１００の制御プログラムや制御データ（動作設定のパラメータなど）、アプリケーションソフトウェア、通信相手の名称や電話番号などを対応づけたアドレスデータ、送受信した電子メールのデータ、WebブラウジングによりダウンロードしたWebデータや、ドキュメントや画像データなどのデータファイル、ダウンロードしたコンテンツデータを記憶し、またストリーミングデータなどを一時的に記憶するものである。記憶部５０は、RAMやROMなどの半導体メモリや、HDD(Hard Disk Drive)やNAND型フラッシュメモリなどを適宜用いて実現できる。
【００２３】
放送受信部６０は、放送局BCから送信される地上ディジタル放送信号のうち、ワンセグメントを受信し、映像信号が例えばH.264などの形式で符号化された放送データ（符号化ストリーム）を得る。なお、ここでは、放送受信部６０は、低フレームレートのワンセグメントを受信する場合を例に挙げるが、これに限らず、より高いフレームレートのフルセグメントを受信するディジタルチューナであってもよい。また放送局BCは、広域に対して放送を行う通常の放送局でもよいし、大型店舗や公共施設などの特定の地域を受信エリアとするエリア限定の放送局であってもよい。
【００２４】
GPS受信部７０は、GPS衛星ST1〜STnから送信されるGPS(Global Positioning System)信号を受信して、位置（緯度、経度、高度）を測位するものであって、この測位によって得た位置情報（緯度、経度、高度）を制御部１００に出力する。
【００２５】
ディジタルカメラ８０は、CCD(Charge-Coupled Device)あるいはCMOS(Complementary Metal Oxide Semiconductor)などの撮像素子を用いて撮像を行うディジタルカメラであって、制御部１００によって制御され、撮像によって得た画像データを制御部１００に出力する。
【００２６】
赤外線通信部９０は、赤外線通信機能を有する対向機器（例えば、他の携帯電話機MS）と赤外線通信を行うものであって、制御部１００によって動作設定がなされ、制御部１００から与えられる送信データを赤外線光で送信したり、対向機器から赤外線光で送信されるデータを受信し、これを受信データとして制御部１００に出力する。
【００２７】
制御部１００は、マイクロプロセッサを備え、記憶部５０が記憶する制御プログラムや制御データにしたがって動作し、当該移動無線端末装置の各部を統括して制御するものであって、例えば音声通信やデータ通信を行うために、通信系の各部を制御する通信制御機能と、電子メールの作成や送受信を行うためのメールソフトウェアや、Webブラウジングを行うためのブラウザソフトウェア、ストリーミングデータのダウンロードや再生を行うためのメディア再生ソフトウェア、放送局BCから送信される地上ディジタル放送信号を受信するための放送受信ソフトウェア、ディジタルカメラ８０を制御して撮影を行う画像処理ソフトウェア、QR(Quick Response)コード（登録商標）を画像解析により復号する画像解析ソフトウェアを実行し、これらに係わる各部を制御するアプリケーション処理機能を備える。
【００２８】
また制御部１００は、操作制御手段１００ａと備える。  
操作制御手段１００ａは、ユーザからの要求に応じて、認証を伴う解除設定が行われるまでの間、当該携帯型電子機器の機能を抑制する機能抑制処理を実行する。なお、この機能抑制処理は、記憶部５０に記録される制御プログラムや制御データにしたがって、操作制御手段１００ａが動作することによって実現する。
【００２９】
次に、上記構成の携帯型電子機器の動作について説明する。以下の説明では特に、発着信制御、音声通信やデータ通信、アプリケーションソフトウェアに基づく動作などの説明は省略し、これらの動作中、あるいは着信待受時に並行して実行される機能抑制処理についての動作を説明する。
【００３０】
図２は、この動作を説明するためのフローチャートであって、操作制御手段１００ａによって実施される。なお、この動作は、当該携帯電話機の電源が投入されると、電源が切られるまで繰り返し実行される。
【００３１】
まず、ステップ２ａにおいて操作制御手段１００ａは、ユーザが操作部２１あるいは操作パネル２０ｂを通じて、貸出モードを設定する要求を行ったか否かを判定する。ここでユーザ（以下、持ち主と称する）は、当該携帯電話機を、例えば友人や会社の同僚などの知人や家族（以下、借受者と称する）に、一時的に手渡す前に上記要求を行う。ここで、操作制御手段１００ａは、貸出モードの設定要求を検出した場合には、ステップ２ｂに移行し、一方、上記要求を検出しない場合には、ステップ２ａに再び移行して、要求の入力を監視する。
【００３２】
ステップ２ｂにおいて操作制御手段１００ａは、操作部２１あるいは操作パネル２０ｂを通じて、いずれかの貸出モード（限定モードあるいはスナップモード）の設定要求を受け付け、ステップ２ｃに移行する。
【００３３】
ステップ２ｃにおいて操作制御手段１００ａは、ステップ２ｂで受け付けた貸出モードが、限定モードの場合には、ステップ２ｄに移行し、一方、スナップモードの場合には、ステップ２ｅに移行する。
【００３４】
ステップ２ｄにおいて操作制御手段１００ａは、後述する限定モードの処理を実行する。  
一方、ステップ２ｅにおいて操作制御手段１００ａは、後述するスナップモードの処理を実行する。
【００３５】
次に、図３を参照して、限定モードの処理について説明する。  
ステップ３ａにおいて操作制御手段１００ａは、記憶部５０が記憶するユーザデータ（画像データ、メールデータなど）のインデックスを表示パネル２０ａに表示するとともに、操作部２１あるいは操作パネル２０ｂを通じて、アクセスしてもよいデータを選択する操作を受け付ける。ここで持ち主は、借受者がアクセスしてもよいデータを選択する操作を行う。
【００３６】
そして、操作制御手段１００ａは、アクセスが許可されたデータのインデックスを許可データパラメータとして記憶部５０に記録し、ステップ３ｂに移行する。これにより、図４に概念的に示すように、記憶部５０が記憶するユーザデータのうち、持ち主以外（借受者）にアクセスが許可されたアクセス許可データと、アクセスが許可されないアクセス不許可データが区別される。
【００３７】
ステップ３ｂにおいて操作制御手段１００ａは、当該携帯型電子機器が有する機能のインデックスを表示パネル２０ａに表示するとともに、操作部２１あるいは操作パネル２０ｂを通じて、実行してもよい機能を選択する操作を受け付ける。ここで持ち主は、借受者が利用してもよい機能を選択する操作を行う。
【００３８】
そして、操作制御手段１００ａは、利用が許可された機能のインデックスを許可機能パラメータとして記憶部５０に記録し、ステップ３ｃに移行する。これにより、図５に概念的に示すように、当該携帯型電子機器が有する機能のうち、持ち主以外（借受者）が利用してもよい機能と、利用が許可されない機能が区別される。
【００３９】
なお、機能としては、画像を表示する機能、メールを表示する機能、表示しているデータ（画像データやメールデータ）に連なる前のデータや後のデータに切り替えて表示させる機能、表示している画像を拡大表示あるいは縮小表示させる機能、表示しているデータ（画像データやメールデータ）をスクロールさせて表示させる機能、表示している画像データを添付したメールデータを作成する機能、表示しているデータ（画像データやメール）を削除やコピーする機能などが考えられる。
【００４０】
ステップ３ｃにおいて操作制御手段１００ａは、ステップ３ａおよびステップ３ｂで入力された設定を実行してよいかを問う表示を表示パネル２０ａに行い、操作部２１あるいは操作パネル２０ｂを通じて、ユーザから指示を受け付ける。ここで、設定の実行を認める操作が行われた場合には、ステップ３ｄに移行し、一方、設定の実行を認めない操作が行われた場合には、ステップ３ａおよびステップ３ｂで記憶部５０に記録したパラメータを消去し、ステップ３ａに移行して、再び入力を受け付ける。
【００４１】
ステップ３ｄにおいて操作制御手段１００ａは、操作部２１あるいは操作パネル２０ｂを通じて、ユーザから操作を受け付け、ステップ３ｅに移行する。なお、ここで例えば、持ち主が当該携帯型電子機器を借受者に手渡す前の場合は、持ち主は借受者に見せた情報（画像やメール）などを表示パネル２０ａに表示させる操作を行う。
【００４２】
また操作制御手段１００ａは、表示パネル２０ａが備える照明装置の点灯時間ｔ１をｔ２（＞ｔ１）に延長する。これにより、限定モードの間、制御部１００は、操作パネル２０ｂや操作部２１が操作されたり、イベントが発生すると、所定時間ｔ２の間だけ照明装置を点灯させる。なお、延長ではなく、限定モードの間、常時点灯に設定してもよい。
【００４３】
ステップ３ｅにおいて操作制御手段１００ａは、ステップ３ｄで受け付けた操作が、当該限定モードを解除する要求か否かを判定する。ここで、当該限定モードを解除する要求の場合には、ステップ３ｈに移行し、一方、解除する要求以外の場合には、ステップ３ｆに移行する。
【００４４】
ステップ３ｆにおいて操作制御手段１００ａは、ステップ３ａおよびステップ３ｂで設定されたパラメータを参照し、ステップ３ｄで受け付けた操作が、許可された操作か否かを判定する。ここで、許可された操作の場合には、ステップ３ｇに移行し、一方、許可された操作以外の場合には、ステップ３ｄで受け付け操作を破棄（無視）し、ステップ３ｄに移行する。
【００４５】
なお、ステップ３ｄで受け付けた操作が、例えば、画像を表示する操作であった場合は、ステップ３ｆにおいて操作制御手段１００ａは、次のように判定を行う。すなわち、表示が要求された画像データが、ステップ３ａでアクセスが許可されたデータであり、かつ、ステップ３ｂで画像の表示機能が許可されているかを判断する。
【００４６】
同様に、ステップ３ｄで受け付けた操作が、例えば、メールを表示する操作であった場合は、ステップ３ｆにおいて操作制御手段１００ａは、次のように判定を行う。すなわち、表示が要求されたメールのデータが、ステップ３ａでアクセスが許可されたデータであり、かつ、ステップ３ｂでメールの表示機能が許可されているかを判断する。
【００４７】
ここで例えば、ステップ３ｄで受け付けた操作が、表示しているデータを削除する操作であった場合に、この操作に対応する機能がステップ３ｂにおいて許可されていないと、上記操作が無視されてステップ３ｄに移行する。一方、許可されている場合には、ステップ３ｇに移行する。
【００４８】
ステップ３ｇにおいて操作制御手段１００ａは、ステップ３ｄで受け付けた操作にしたがって、処理を実行し、ステップ３ｄに移行する。  
ここで例えば、ステップ３ｄで受け付けた操作が、表示しているデータ（画像データやメールデータ）に連なるデータに切り替えて表示させる操作であった場合、操作制御手段１００ａは、表示しているデータに連なるデータを記憶部５０から読み出し、表示パネル２０ａに表示させる。
【００４９】
一方、ステップ３ｈにおいて操作制御手段１００ａは、限定モードを解除するための認証処理を実行し、ステップ３ｉに移行する。具体的には、持ち主が予め設定したパスワードを操作部２１あるいは操作パネル２０ｂを通じて入力する操作を受け付け、予め記憶部５０に保持しておいた上記パスワードと比較する。
【００５０】
ステップ３ｉにおいて操作制御手段１００ａは、認証が成功したか否かを判定する。ここで認証が成功した場合には、ステップ３ａおよびステップ３ｂで設定したパラメータをリセットするとともに、表示パネル２０ａが備える照明装置の点灯時間ｔ２をｔ１にリセットして、図２のステップ２ａに移行し、一方、認証に失敗した場合には、ステップ３ｄに移行して、限定モードを継続する。なお、認証の成功とは、ステップ３ｈで入力されたパスワードと記憶部５０に予め保持しておいたパスワードが一致した場合である。
【００５１】
次に、図６を参照して、スナップモードの処理について説明する。  
ステップ６ａにおいて操作制御手段１００ａは、現在、表示パネル２０ａに表示している画像をキャプチャして、キャプチャ画像データを生成して、ステップ６ｂに移行する。これにより、持ち主が借受者に見せたい画像のデータが生成されることになる。
【００５２】
ステップ６ｂにおいて操作制御手段１００ａは、現在、表示パネル２０ａに表示している画像の表示機能（例えば、画像データの表示制御、メールの表示制御あるいはWebブラウザによるWeb表示制御など）を終了し、代わって、ステップ６ａで生成したキャプチャ画像データを表示する制御を行い、ステップ６ｃに移行する。
【００５３】
また操作制御手段１００ａは、表示パネル２０ａが備える照明装置の点灯時間ｔ１をｔ２に延長する。これにより、スナップモードの間、制御部１００は、操作パネル２０ｂや操作部２１が操作されたり、イベントが発生すると、所定時間ｔ２の間だけ照明装置を点灯させる。なお、延長ではなく、限定モードの間、常時点灯に設定してもよい。
【００５４】
これにより、持ち主が借受者に見せたい画像のデータが、改めて表示されることになる。単に画像データを表示している状態では、通常の操作により、次順の画像データが読み出されて表示されてしまい、またメールを表示している状態では、通常の操作により、次順のメールのデータが読み出されて表示されてしまうことになる。しかし、ここでは、これらの機能が停止され、改めて、キャプチャ画像データを表示しているため、上記機能によって次順のデータが呼び出されて表示されることはない。
【００５５】
ステップ６ｃにおいて操作制御手段１００ａは、操作部２１あるいは操作パネル２０ｂを通じて、ユーザから操作を受け付け、ステップ６ｄに移行する。なお、ここで受け付けられる操作は、持ち主がスナップモードの解除を求める操作以外に、借受者が意図的もしくは不用意に操作部２１あるいは操作パネル２０ｂを操作した場合が考えられる。
【００５６】
ステップ６ｄにおいて操作制御手段１００ａは、ステップ６ｃで受け付けた操作が、当該スナップモードを解除する要求か否かを判定する。ここで、当該スナップモードを解除する要求の場合には、ステップ６ｅに移行し、一方、解除する要求以外の場合には、ステップ６ｃに移行する。すなわち、解除要求以外の操作（他のデータを見ようとしたり、データを削除する操作など）は無視されて、ステップ６ｃに移行する。
【００５７】
ステップ６ｅにおいて操作制御手段１００ａは、スナップモードを解除するための認証処理を実行し、ステップ６ｆに移行する。具体的には、持ち主が予め設定したパスワードを操作部２１あるいは操作パネル２０ｂを通じて入力する操作を受け付け、予め記憶部５０に保持しておいた上記パスワードと比較する。
【００５８】
ステップ６ｆにおいて操作制御手段１００ａは、認証が成功したか否かを判定する。ここで認証が成功した場合には、表示パネル２０ａが備える照明装置の点灯時間ｔ２をｔ１にリセットして、図２のステップ２ａに移行し、一方、認証に失敗した場合には、ステップ６ｃに移行して、限定モードを継続する。なお、認証の成功とは、ステップ６ｅで入力されたパスワードと記憶部５０に予め保持しておいたパスワードが一致した場合である。
【００５９】
なお、ステップ３ｈおよびステップ６ｅの認証処理では、図７（ａ）に示すように、表示パネル２０ａに画像が表示された状態において、図７（ｂ）に示すように、パスワード入力用のウィンドウを重ねて表示し、パスワードの入力を受け付ける。
【００６０】
以上のように、上記構成の携帯型電子機器では、限定モードを設定した場合には、操作部２１あるいは操作パネル２０ｂを通じた操作によるアクセスを許可するデータ（以下、許可データ）の指定や、許可する機能（以下、許可機能）の指定を受け付け、その後は、アクセスされたデータが許可データであり、かつ要求された機能が許可機能である場合にのみ、要求された機能に対する処理を実行するようにしている。
【００６１】
したがって、上記構成の携帯型電子機器によれば、持ち主から借受者に手渡される前に、持ち主が設定した制限（許可データおよび許可機能）の範囲内で、借受者の操作が可能になるので、借受者によって持ち主が望まない操作が行われても、例えば持ち主が見せたくない画像やメールなどの表示を防止できる。すなわち、手渡した相手が不用意な操作を行っても、ユーザが望まない処理が実行されることを防止できる。
【００６２】
また上記構成の携帯型電子機器では、スナップモードを設定した場合には、その時点で表示していた画像をキャプチャし、それまでの機能が停止され、代わりにキャプチャした画像を表示して、他の要求を受け付けないようにしている。
【００６３】
したがって、上記構成の携帯型電子機器によれば、持ち主から借受者に手渡される前に、持ち主がスナップモードを設定することで、特定の画像を表示した状態に固定されるので、借受者によって持ち主が望まない操作が行われても、例えば持ち主が見せたくない画像やメールなどの表示を防止できる。すなわち、手渡した相手が不用意な操作を行っても、ユーザが望まない処理が実行されることを防止できる。
【００６４】
また、上記構成の携帯型電子機器では、限定モードあるいはスナップモードの間は、照明装置の点灯時間を延長するようにしている。時間経過により照明装置が消灯した場合に、ユーザはなんらかの操作を加えて、照明装置の起動を行うが、上述したように照明装置の点灯時間が延長されるので、このような不用意な操作を抑制できる。
【００６５】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６６】
その一例として例えば、上記実施の形態では、持ち主が許可する指定を行う場合を例に挙げて説明したが、アクセスを許可しないデータの指定や、実行を許可しない機能について指定を行うようにしてもよい。すなわち、不許可の指定を受け付けるようにし、この受け付けた指定に従って、借受者の要求を拒否するようにしてもよい。
【００６７】
また、上記実施の形態では、画像やメールの表示を例に挙げて説明したが、他の情報の出力について、借受者の操作を制限するようにしてもよい。例えば、録音した音声データや音楽データなどのデータに対する許可（不許可）指定、これらのデータの拡声出力する機能についての許可（不許可）指定、ゲームをはじめとする種々のアプリケーションソフトウェアの実行に関する許可（不許可）指定などが考えられる。
【００６８】
そしてまた、上記実施の形態では、ステップ３ａにおいて、データ単位で許可（あるいは不許可）の指定を行うものとして説明したが、複数のデータを階層化されたフォルダに格納している場合には、フォルダ単位で許可（あるいは不許可）の指定を受け付けて設定するようにしてもよい。これにより、一括して複数のデータについて指定を行うことができる。
【００６９】
また、上記実施の形態では、ステップ３ｂにおいて、機能単位で許可（あるいは不許可）の指定を行うものとして説明したが、複数の機能を予めグループ分けしたことを示すグループ情報を保持しておき、このグループ情報に基づいて、グループ単位で許可（あるいは不許可）の指定を受け付けて、同一グループに属する複数の機能を一括して設定するようにしてもよい。これにより、一括して複数の機能について指定を行うことができる。
【００７０】
さらにまた、携帯型電子機器が、携帯電話機やスマートフォンの場合、音声通話（テレビ電話）の着信の発生、メールの着信（受信）、スケジュールアラームの報知など、持ち主が予期しないイベントが発生することがある。着信の場合、発信者の電話番号や電子メールアドレスが表示されたり、これらの情報に基づいて、記憶部５０が記憶するアドレス帳のデータを参照し、発信者名が表示パネル２０ａに表示される機能がある。またスケジュールアラームの報知機能には、スケジュールの内容が表示パネル２０ａに表示される機能がある。
【００７１】
このため、図３に示した限定モードの処理中や、図６に示したスナップモードの処理中においては、上述したようなイベントが発生した場合、操作制御手段１００ａは、着信の発生やスケジュール時刻の到来の報知を行いながらも、発信者の電話番号や電子メールアドレス、あるいはこれに基づく発信者名、スケジュール内容などの表示を停止する抑制処理を実行するようにしてもよい。
【００７２】
限定モードやスナップモードの実行中は、持ち主以外の借受者の手に渡っている可能性が高いため、このような抑制処理を実行することで、借受者が発信者を特定したり、スケジュール内容を察知してしまうことを防止できる。なお、着信の発生やスケジュール時刻の到来についても、報知しないようにしてもよい。
【００７３】
その他、この発明の要旨を逸脱しない範囲で種々の変形を施しても同様に実施可能であることはいうまでもない。
【符号の説明】
【００７４】
１０…無線通信部、２０…表示入力部、２０ａ…表示パネル、２０ｂ…操作パネル、２１…操作部、２２…モーションセンサ部、３０…通話部、３１…スピーカ、３２…マイクロホン、４０…電源部、４０ａ…充電回路、４１…バッテリ、５０…記憶部、６０…放送受信部、７０…GPS受信部、８０…ディジタルカメラ、９０…赤外線通信部、１００…制御部、１００ａ…操作制御手段、２００…充電器、BC…放送局、BS…基地局装置、MN…移動通信網、MS…携帯電話機、NW…インターネット、ST1〜STn…衛星、SV…サーバ。
【図１】
2012019482.tif 000003
【図２】
2012019482.tif 000004
【図３】
2012019482.tif 000005
【図４】
2012019482.tif 000006
【図５】
2012019482.tif 000007
【図６】
2012019482.tif 000008
【図７】
2012019482.tif 000009